(57)【特許請求の範囲】
【請求項１】
バイオマスをガス化するガス化反応装置と、該ガス化反応装置に前記バイオマスを供給するバイオマス供給装置とを備えたバイオマスガス化装置において、
前記ガス化反応装置は、内部に前記バイオマスが投入される内管と、ガス化反応によって生成した生成ガスを流通させて外部に導出させるための外管とを備えた二重管構造で構成され、且つ、
前記バイオマス供給装置から前記バイオマスが投入される前記内管内の投入部を外部から観察するための観察窓と、
前記投入部に詰まった前記バイオマスを除去するためのバイオマス除去手段と、
前記観察窓を通じて前記バイオマスによる前記投入部の閉塞状態を検知する閉塞状態検知手段とを備え、
前記観察窓は、前記内管及び前記外管の上端部に接続して設けられ、前記外管の上端部を閉塞させるとともに前記内管の内部に連通する第１貫通孔を有する第１蓋体と、前記第１貫通孔を閉塞させるように前記第１蓋体上に配設された透明部材と、前記透明部材上に配設され、前記透明部材を介して前記第１貫通孔と連通する第２貫通孔を有する第２蓋体とを備え、
前記投入部に前記バイオマスが詰まるとともに、前記閉塞状態検知手段の検知結果に基づいて自動的に前記バイオマス除去手段が駆動し、前記投入部に詰まった前記バイオマスを除去するように構成されていることを特徴とするバイオマスガス化装置。
【請求項２】
請求項１記載のバイオマスガス化装置において、
前記バイオマス除去手段が、前記ガス化反応装置の内部に進退自在に挿入され、進退とともに前記投入部に詰まった前記バイオマスを押圧して、該バイオマスを除去するバイオマス押圧除去手段を備えて構成されていることを特徴とするバイオマスガス化装置。
【請求項３】
請求項１または請求項２に記載のバイオマスガス化装置において、
前記バイオマス除去手段が、前記ガス化反応装置の内部に高圧流体を噴射して、前記投入部に詰まった前記バイオマスを除去する高圧流体噴射手段を備えて構成されていることを特徴とするバイオマスガス化装置。
【請求項４】
請求項１から請求項３のいずれかに記載のバイオマスガス化装置において、
前記閉塞状態検知手段が、前記投入部に前記バイオマスが詰まることによる光学的な変化を捉えて前記投入部の閉塞状態を検知する光学センサであることを特徴とするバイオマスガス化装置。
【発明の詳細な説明】
【技術分野】
【０００１】
本発明は、バイオマスをガス化してクリーンな高カロリーガスを生成するためのバイオマスガス化装置に関する。
【背景技術】
【０００２】
従来、例えば発電効率の高い発電用ガスエンジンの燃料などに用いるクリーンな高カロリーガス（生成ガス）を、バイオマスをガス化して生成するバイオマスガス化装置が知られている（例えば、特許文献１、特許文献２、特許文献３参照）。そして、この種のバイオマスガス化装置Ａは、例えば図４に示すように、バイオマスＳをガス化するガス化反応装置１と、ガス化反応装置１にバイオマスＳを供給するバイオマス供給装置２と、ガス化反応装置１に水蒸気Ｍを供給する水蒸気発生装置３と、ガス化反応装置１で生成して排出された含水生成ガスＧ１の水分などを除去する脱水装置４と、脱水装置４で処理した生成ガスＧ２を貯留するガスタンク５とを備えて構成されている。
【０００３】
また、バイオマス供給装置２は、粉砕設備で粉砕したバイオマスＳ（バイオマス微粉）を貯留するバイオマス受入ホッパ６に接続して設けられた供給管２ａと、モータ２ｂに接続して供給管２ａの内部に配設されたスクリュ２ｃとを備えて構成されている。さらに、バイオマス供給装置２は、供給管２ａがガス化反応装置１（ガス化反応炉）と連通するようにガス化反応装置１の上部側に接続して設けられ、スクリュ２ｃの先端がガス化反応装置１の内部に延設されている。このバイオマス供給装置２においては、モータ２ｂを駆動してスクリュ２ｃを軸線Ｏ１回りに回転させると、バイオマス受入ホッパ６に貯留したバイオマスＳが順次ガス化反応装置１に向けて搬送され、スクリュ２ｃの先端が配された投入部７（供給管２ａの出口及びガス化反応装置１の投入口）にバイオマスＳが定常的に押し出されて供給される。
【０００４】
一方、ガス化反応装置１は、投入部７よりも下方に位置する部分（下部側）がヒータなどの加熱装置８によって例えば８００℃〜１０００℃の高温に加熱される。また、ガス化反応装置１は、その下部に水蒸気発生装置３が繋げられ、水蒸気発生装置３から内部にガス化反応の触媒となる高温の水蒸気Ｍが供給される。
【０００５】
そして、このバイオマスガス化装置Ａでは、バイオマス供給装置２からガス化反応装置１の投入部７に投入したバイオマスＳが、ガス化反応装置１の内部を落下するとともに瞬時に熱分解してガス化する。このガス化によって生成された含水生成ガスＧ１は、ガス化反応装置１の上部側に設けられたガス排出口１ａを通じて脱水装置４に送られ、水分などの除去処理が施されてクリーンで高カロリーの生成ガスＧ２となり、ガスタンク５に貯留される。
【特許文献１】特開２００４−５１２５８号公報
【特許文献２】特開２００２−２８５１７１号公報
【特許文献３】特開２００６−１５２１９３号公報
【発明の開示】
【発明が解決しようとする課題】
【０００６】
しかしながら、上記従来のバイオマスガス化装置Ａにおいては、ガス化反応装置１の内部に供給した水蒸気Ｍなどの影響で、バイオマス供給装置２からガス化反応装置１にバイオマスＳを投入する投入部７（供給管２ａの出口及びガス化反応装置１の投入口）が湿って、定常的なバイオマスＳの供給が妨げられ、さらには投入部７にバイオマスＳが詰まるという問題があった。
【０００７】
また、投入部７を外部から観察することができず、この投入部７のバイオマス詰まりを確認することができないという問題があった。
【０００８】
一方、バイオマス供給装置２やバイオマス受入ホッパ６に振動装置を取付けたバイオマスガス化装置がある。このバイオマスガス化装置においては、振動装置でバイオマス供給装置２やバイオマス受入ホッパ６を振動させることにより、バイオマス供給装置２のブリッジ現象（スクリュ２ｃ周りが空洞になってバイオマスＳが供給されなくなること）やバイオマス受入ホッパ６内でのバイオマスＳの凝集（バイオマスＳが湿気やその重量等で大きな塊になること）を防止することができる。しかしながら、このように振動装置を設けた場合においても、振動によって投入部７にバイオマスＳが詰まることを防止したり、投入部７に詰まったバイオマスＳを除去することはできず、やはり定常的に安定してバイオマスＳを供給することができなくなってしまう。
【０００９】
本発明は、上記事情に鑑み、投入部のバイオマスの詰まりを確認することができるとともに、投入部に詰まったバイオマスを除去することができ、バイオマスの定常的な供給を可能にして効率的に生成ガスを製造することを可能にしたバイオマスガス化装置を提供することを目的とする。
【課題を解決するための手段】
【００１０】
上記の目的を達するために、この発明は以下の手段を提供している。
【００１１】
本発明のバイオマスガス化装置は、バイオマスをガス化するガス化反応装置と、該ガス化反応装置に前記バイオマスを供給するバイオマス供給装置とを備えたバイオマスガス化装置において、前記ガス化反応装置は、内部に前記バイオマスが投入される内管と、ガス化反応によって生成した生成ガスを流通させて外部に導出させるための外管とを備えた二重管構造で構成され、且つ、前記バイオマス供給装置から前記バイオマスが投入される前記内管内の投入部を外部から観察するための観察窓と、前記投入部に詰まった前記バイオマスを除去するためのバイオマス除去手段と、前記観察窓を通じて前記バイオマスによる前記投入部の閉塞状態を検知する閉塞状態検知手段とを備え、前記観察窓は、前記内管及び前記外管の上端部に接続して設けられ、前記外管の上端部を閉塞させるとともに前記内管の内部に連通する第１貫通孔を有する第１蓋体と、前記第１貫通孔を閉塞させるように前記第１蓋体上に配設された透明部材と、前記透明部材上に配設され、前記透明部材を介して前記第１貫通孔と連通する第２貫通孔を有する第２蓋体とを備え、前記投入部に前記バイオマスが詰まるとともに、前記閉塞状態検知手段の検知結果に基づいて自動的に前記バイオマス除去手段が駆動し、前記投入部に詰まった前記バイオマスを除去するように構成されていることを特徴とする。
【００１２】
この発明においては、観察窓を通じてガス化反応装置の外部から投入部を観察することができ、この投入部のバイオマスによる閉塞状態を確認することができる。そして、投入部にバイオマスが詰まった場合には、このバイオマスをバイオマス除去手段で除去することにより、定常的なバイオマスの供給を安定して行うことが可能になる。
また、観察窓を通じて投入部の閉塞状態を閉塞状態検知手段で検知することによって、この投入部のバイオマス詰まりを即時に確認することが可能になる。これにより、投入部に詰まったバイオマスをバイオマス除去手段で速やかに除去することが可能になり、確実に定常的なバイオマスの供給を安定して行うことが可能になる。
さらに、投入部にバイオマスが詰まるとともに、これを検知した閉塞状態検知手段の検知結果に基づいて、バイオマス除去手段で投入部に詰まったバイオマスを除去することができる。これにより、より確実に定常的なバイオマスの供給を安定して行うことが可能になるとともに、無人による長時間運転が可能になり、バイオマスガス化装置の完全自動化を図ることが可能になる。
【００１３】
また、本発明のバイオマスガス化装置においては、前記バイオマス除去手段が、前記ガス化反応装置の内部に進退自在に挿入され、進退とともに前記投入部に詰まった前記バイオマスを押圧して、該バイオマスを除去するバイオマス押圧除去手段を備えて構成されていることが望ましい。
【００１４】
この発明においては、バイオマス押圧除去手段を進退させることによって、投入部に詰まったバイオマスを押圧して除去することが可能になる。これにより、観察窓を通じて確認した投入部のバイオマス詰まりを解消することができ、定常的なバイオマスの供給を安定して行うことが可能になる。
【００１５】
さらに、本発明のバイオマスガス化装置においては、前記バイオマス除去手段が、前記ガス化反応装置の内部に高圧流体を噴射して、前記投入部に詰まった前記バイオマスを除去する高圧流体噴射手段を備えて構成されていてもよい。
【００１６】
この発明においては、高圧流体噴射手段から噴射した高圧流体によって、投入部に詰まったバイオマスを除去することが可能になる。これにより、観察窓を通じて確認した投入部のバイオマス詰まりを解消することができ、定常的なバイオマスの供給を安定して行うことが可能になる。
【００１９】
さらに、本発明のバイオマスガス化装置においては、前記閉塞状態検知手段が、前記投入部に前記バイオマスが詰まることによる光学的な変化を捉えて前記投入部の閉塞状態を検知する光学センサであることが望ましい。
【００２０】
この発明においては、例えばＣＣＤ（ＣＣＤカメラ）やフォトトランジスタなどの光センサを閉塞状態検知手段として用いることで、投入部が開放状態にある場合と、バイオマスが詰まった場合との光学的な変化を捉えて、確実に投入部の閉塞状態を検知（確認）することが可能になる。
【発明の効果】
【００２３】
本発明のバイオマスガス化装置によれば、投入部のバイオマス詰まりを、観察窓を通じてガス化反応装置の外部から確認することができ、投入部に詰まったバイオマスを自動的にバイオマス除去手段で除去することが可能になる。これにより、投入部のバイオマス詰まりを解消して定常的なバイオマスの供給を安定して行うことが可能になるため、効率的にクリーンで高カロリーな生成ガスを製造することが可能になる。
【発明を実施するための最良の形態】
【００２４】
以下、図１及び図２を参照し、本発明の第１実施形態に係るバイオマスガス化装置について説明する。本実施形態は、バイオマスからクリーンで高カロリーの生成ガスを効率的に製造することが可能なバイオマスガス化装置に関するものである。
【００２５】
本実施形態のバイオマスガス化装置Ｂは、図１に示すように、バイオマスＳ（バイオマス微粉）をガス化するガス化反応装置１０と、ガス化反応装置１０にバイオマスＳを供給するバイオマス供給装置２と、ガス化反応装置１０に水蒸気Ｍを供給する水蒸気発生装置３と、ガス化反応装置１０で生成して排出された含水生成ガスＧ１の水分などを除去する脱水装置４と、脱水装置４で処理した生成ガスＧ２を貯留するガスタンク５とを備えて構成されている。
【００２６】
バイオマス供給装置２は、バイオマス受入ホッパ６とガス化反応装置１０とに繋がる供給管２ａと、この供給管２ａの内部に配設され、その軸線Ｏ１回りの回転によってバイオマス受入ホッパ６に貯留したバイオマスＳを搬送してガス化反応装置１０の内部に供給するスクリュ２ｃと、スクリュ２ｃを軸線Ｏ１回りに回転駆動させるためのモータ２ｂとを備えて構成されている。
【００２７】
ガス化反応装置１０は、内管１１と外管１２とを備えて二重管構造で形成されている。また、内管１１と外管１２は、それぞれの上端部をガス化反応装置１０の軸線Ｏ２方向の同位置に配し、内管１１の下端部を外管１２の下端部よりも軸線Ｏ２方向上方に配して設けられている。
【００２８】
また、ガス化反応装置１０は、その上部側にバイオマス供給装置２が接続されており、このとき、バイオマス供給装置２の供給管２ａの先端が外管１２の側面を貫通し、内管１１の側面に接続されて、バイオマス供給管２と内管１１が連通している。さらに、供給管２ａの内部に配設されたスクリュ２ｃが、その先端を僅かに内管１１の内部に挿入するように延設されている。そして、バイオマス供給装置２のモータ２ｂを駆動してスクリュ２ｃを軸線Ｏ１回りに回転させると、バイオマス受入ホッパ６に貯留したバイオマスＳが順次ガス化反応装置１０に向けて搬送され、スクリュ２ｃの先端が配された投入部７（供給管２ａの出口及びガス化反応装置１０の内管１１の投入口）にバイオマスＳが定常的に押し出されて供給される。
【００２９】
また、ガス化反応装置１０には、投入部７よりも下方に位置する部分（下部側）に、内管１１及び外管１２を例えば８００℃〜１０００℃の高温に加熱するためのヒータ（加熱装置８）が設けられている。なお、このようにガス化反応装置１０を加熱するための加熱装置８は、例えば熱ガス発生炉で粉砕設備から受け入れたバイオマス粗粉を空気などの支燃剤により例えば９００〜１２００℃の高温で燃焼させ、この高温の熱ガスを供給して、ガス化反応装置１０を加熱するように構成されていてもよい。
【００３０】
さらに、ガス化反応装置１０は、ガス化反応の触媒となる高温の水蒸気Ｍを供給して、内部（内管１１及び外管１２の内部）を水蒸気雰囲気にするための水蒸気発生装置３が、配管を介して外管１２の下端部（ガス化反応装置１０の下部）に繋げられている。また、外管１２には、投入部７と加熱装置８の軸線Ｏ２方向の間に位置する部分に、ガス化反応装置１０で生成した含水生成ガスＧ１を外部に排出するためのガス排出口１２ａが設けられている。そして、このガス排出口１２ａに配管を介して脱水装置４とガスタンク５が繋げられている。
【００３１】
一方、本実施形態のガス化反応装置１０は、その上部に上蓋部１５が設けられて、内管１１及び外管１２のそれぞれの上端部側が閉塞されている。この上蓋部１５は、図１及び図２に示すように、内管１１及び外管１２の上端部に接続して設けられ、外管１２の上端部を閉塞させるとともに、中央に内管１１の内部に連通する第１貫通孔１６ａを備えた第１蓋体１６と、第１貫通孔１６ａ（内管１１）を被覆して閉塞させるように第１蓋体１６上に配設された例えば耐熱ガラスなどの透明部材１７と、中央に第２貫通孔１８ａが形成され、第１蓋体１６の第１貫通孔１６ａと第２貫通孔１８ａが軸線Ｏ２方向に重なるように透明部材１７上に配設された第２蓋体１８とを備えて構成されている。また、この上蓋部１５は、内管１１及び外管１２に固設された第１蓋体１６に例えばボルトとナットで第２蓋体１８が固設され、これら第１蓋体１６と第２蓋体１８で透明部材１７が挟持されている。すなわち、ガス化反応装置１０の内部で生成した含水生成ガスＧ１が外部に漏れないように、外管１２が第１蓋体１６によって閉塞され、この第１蓋体１６の内管１１に連通する第１貫通孔１６ａが第１蓋体１６に密着した透明部材１７で閉塞されている。そして、本実施形態においては、上蓋部１５の第１貫通孔１６ａと透明部材１７と第２貫通孔１８ａとによって観察窓が構成されており、この観察窓を通じて外部から投入部７が観察可能とされている。
【００３２】
また、本実施形態においては、上蓋部１５の観察窓１６ａ、１７、１８ａを通じて外部から投入部７を観察し、投入部７の閉塞状態を検知（確認）するための閉塞状態検知手段１９が設けられている。この閉塞状態検知手段１９は、例えばＣＣＤ（ＣＣＤカメラ）やフォトトランジスタなどの光センサであり、投入部７にバイオマスＳが詰まることによる光学的な変化を捉えて投入部７の閉塞状態を検知する。
【００３３】
さらに、ガス化反応装置１０には、投入部７に詰まったバイオマスＳを除去するためのバイオマス除去手段２０が設けられている。本実施形態のバイオマス除去手段２０は、上蓋部１５の第２蓋体１８に取り付けられたモータ２１と、このモータ２１の駆動によって上下に（軸線Ｏ２に沿って）進退自在に設けられた例えばステンレス棒などの除去棒（バイオマス押圧除去手段）２２とを備えて構成されている。また、除去棒２２は、ガス化反応装置１０の外側から、上蓋部１５の透明部材１７を貫通しつつ第２貫通孔１８ａと第１貫通孔１６ａを介して内管１１の内部に挿入されている。そして、このバイオマス除去手段２０は、モータ２１を駆動して除去棒２２を進退させることにより、投入部７に詰まったバイオマスＳを押圧して除去する。
【００３４】
さらに、閉塞状態検知手段１９とバイオマス除去手段２０のモータ２１は制御装置２３に接続されており、この制御装置２３は、閉塞状態検知手段１９から送られた検知結果に基づいてバイオマス除去手段２０（モータ２１）の駆動を制御する。
【００３５】
ついで、上記の構成からなるバイオマスガス化装置Ｂを用いて生成ガスＧ２を製造する方法（バイオマスをガス化する方法）について説明するとともに、本実施形態のバイオマスガス化装置Ｂの作用及び効果について説明する。
【００３６】
本実施形態のバイオマスガス化装置Ｂを用いて生成ガスＧ２を製造する際には、はじめに、ガス化反応装置１０を加熱装置８で加熱するとともに、水蒸気発生装置３から水蒸気Ｍを供給してガス化反応装置１０の内部を水蒸気雰囲気にする。そして、閉塞状態検知手段１９によって投入部７の閉塞状態の検知を開始するとともに、バイオマス供給装置２のモータ２ｂを駆動しスクリュ２ｃを回転させて、バイオマス受入ホッパ６からバイオマスＳを投入部７に投入し、ガス化反応装置１０の内管１１にバイオマスＳを供給する。
【００３７】
このように投入したバイオマスＳが投入部７から内管１１の内部を落下してゆくとともに、水蒸気Ｍをガス化反応の触媒とし、瞬時に熱分解してガス化する。このガス化によって生成された含水生成ガス（生成ガス）Ｇ１は、内管１１の下端部から外管１２の内部に流通し、外管１２に形成されたガス排出口１２ａを通じて脱水装置４に送られる。そして、この脱水装置４で含水生成ガスＧ１中の水分及び硫黄化合物など高沸点物が除去され、クリーンで高カロリーの生成ガスＧ２に処理されて、ガスタンク５に貯留される。また、バイオマス供給装置２からガス化反応装置１０に継続的にバイオマスＳを供給することで、生成ガスＧ２が連続的（定常的）に製造される。
【００３８】
そして、上記のように連続的に生成ガスＧ２を製造する際に、ガス化反応装置１の内部に供給した水蒸気Ｍなどの影響で、投入部７（供給管２ａの出口及びガス化反応装置１の内管１１の投入口）が湿り、定常的なバイオマスＳの供給が妨げられ、さらには投入部７にバイオマスＳが詰まってしまう。
【００３９】
これに対し、本実施形態のバイオマスガス化装置Ｂにおいては、常時、閉塞状態検知手段１９によって投入部７のバイオマスＳによる閉塞状態が捉えられ、この閉塞状態検知手段１９の検知結果が制御装置２３に送られている。そして、投入部７にバイオマスＳが詰まって閉塞した場合には、閉塞状態検知手段１９が光学的な変化を捉え、この検知結果を受けた制御装置２３がバイオマス除去手段２０に動作指令を出力する。これにより、除去棒２２が進退駆動し、除去棒２２によって投入部７に詰まったバイオマスＳが押圧されて除去され、投入部７のバイオマスＳによる詰まりが解消される。
【００４０】
このため、投入部７にバイオマスＳが詰まった場合においても、バイオマスガス化装置Ｂの運転を停止してバイオマスＳを除去する必要はなく、閉塞状態検知手段１９の検知結果を基にして自動的にバイオマスＳが除去される。よって、バイオマスガス化装置Ｂは、定常的なバイオマスＳの供給が安定して行われ、完全自動化し、無人による長時間運転を行って効率的に生成ガスＧ２が製造されることになる。
【００４１】
したがって、本実施形態のバイオマスガス化装置Ｂにおいては、観察窓１６ａ、１７、１８ａを通じてガス化反応装置１０の外部から投入部７を観察することができ、この投入部７のバイオマスＳによる閉塞状態を確認することができる。そして、投入部７にバイオマスＳが詰まった場合には、このバイオマスＳをバイオマス除去手段２０で除去することにより、定常的なバイオマスＳの供給を安定して行うことが可能になる。
【００４２】
また、バイオマス除去手段２０が除去棒（バイオマス押圧除去手段）２２を備え、この除去棒２２を進退させて投入部７に詰まったバイオマスＳを押圧させることで、確実にバイオマスＳを除去することが可能になり、投入部のバイオマス詰まりを解消することができる。
【００４３】
さらに、観察窓１６ａ、１７、１８ａを通じて投入部７の閉塞状態を閉塞状態検知手段１９で検知することによって、この投入部７のバイオマス詰まりを即時に確認することが可能になる。これにより、投入部７に詰まったバイオマスＳをバイオマス除去手段２０で早急に除去することが可能になり、確実に定常的なバイオマスＳの供給を安定して行うことが可能になる。また、このとき、例えばＣＣＤ（ＣＣＤカメラ）やフォトトランジスタなどの光センサを閉塞状態検知手段１９として用いることで、投入部７が開放状態にある場合と、バイオマスＳが詰まった場合との光学的な変化を捉えて、確実に投入部７の閉塞状態を検知することが可能になる。
【００４４】
さらに、投入部７にバイオマスＳが詰まるとともに、これを検知した閉塞状態検知手段１９の検知結果に基づいて、バイオマス除去手段２０で投入部７に詰まったバイオマスＳを除去することが可能であるため、無人による長時間運転が可能になり、バイオマスガス化装置Ｂの完全自動化を図ることが可能になる。
【００４５】
よって、本実施形態のバイオマスガス化装置Ｂによれば、投入部７のバイオマス詰まりを解消して定常的なバイオマスＳの供給を安定して行うことが可能になるため、効率的にクリーンで高カロリーな生成ガスＧ２を製造することが可能になる。
【００４６】
以上、本発明に係るバイオマスガス化装置の第１実施形態について説明したが、本発明は上記の第１実施形態に限定されるものではなく、その趣旨を逸脱しない範囲で適宜変更可能である。
【００４９】
ついで、図３を参照し、本発明の第２実施形態に係るバイオマスガス化装置について説明する。本実施形態は、第１実施形態と同様、投入部７に詰まったバイオマスＳを自動的に除去して、バイオマスからクリーンで高カロリーの生成ガスＧ２を効率的に製造可能なバイオマスガス化装置に関するものである。なお、本実施形態においては、第１実施形態に対し、ガス化反応装置及びバイオマス除去手段の構成が異なり他の構成は同様とされている。よって、第１実施形態と共通する構成に対し同一符号を付して、その詳細な説明を省略する。
【００５０】
本実施形態のバイオマスガス化装置Ｃにおいては、図３に示すように、バイオマス除去手段３０が、ガス化反応装置３１の内部に高圧の窒素ガス（高圧流体）Ｎを噴射して、投入部７に詰まったバイオマスＳを除去する高圧流体噴射手段３２を備えて構成されている。
【００５１】
高圧流体噴射手段３２は、上蓋部１５の透明部材１７を貫通しつつ第２貫通孔１８ａと第１貫通孔１６ａを介して内管１１の内部の投入部７に向けて開口する第１高圧流体噴射口３３と、外管１２を貫通し内管１１の内部の投入部７に向けて開口する第２高圧流体噴射口３４と、両高圧流体噴射口３３、３４に配管を介して接続された高圧流体噴射機３５とを備えて構成されている。そして、この高圧流体噴射手段３２においては、高圧窒素ガスＮが高圧流体噴射機３５から供給されて、第１高圧流体噴射口３３と第２高圧流体噴射口３４から投入部７に向けて噴射される。
【００５２】
このように構成した本実施形態のバイオマスガス化装置Ｃにおいては、投入部７にバイオマスＳが詰まって閉塞した場合に、閉塞状態検知手段１９が光学的な変化を捉え、この検知結果を受けた制御装置２３がバイオマス除去手段３０（高圧流体噴射手段３２）に動作指令を出力する。そして、高圧流体噴射機３５が駆動し、高圧窒素ガスＮが第１高圧流体噴射口３３と第２高圧流体噴射口３４から投入部７に向けて噴射され、投入部７に詰まったバイオマスＳが高圧窒素ガスＮによって除去される。
【００５３】
このため、投入部７にバイオマスＳが詰まった場合においても、バイオマスガス化装置Ｃの運転を停止してバイオマスＳを除去する必要はなく、閉塞状態検知手段１９の検知結果を基にして自動的にバイオマスＳが除去される。よって、バイオマスガス化装置Ｃは、第１実施形態と同様に、定常的なバイオマスＳの供給が安定して行われ、完全自動化し、無人による長時間運転を行って効率的に生成ガスＧ２が製造されることになる。
【００５４】
したがって、本実施形態のバイオマスガス化装置Ｃにおいては、第１実施形態の効果に加え、バイオマス除去手段３０として高圧流体噴射手段３２を備えていることによって、投入部７に詰まったバイオマスＳをこの高圧流体噴射手段３２から噴射した高圧窒素ガスＮ（高圧流体）で除去することが可能になる。これにより、観察窓１６ａ、１７、１８ａを通じて閉塞状態検知手段１９で投入部７の閉塞状態を検知した結果を基に、投入部７のバイオマス詰まりを高圧流体噴射手段３２で解消することができ、定常的なバイオマスＳの供給を安定して行うことが可能になる。よって、効率的にクリーンで高カロリーな生成ガスＧ２を製造することが可能になる。
【００５５】
以上、本発明に係るバイオマスガス化装置の第２実施形態について説明したが、本発明は上記の第２実施形態に限定されるものではなく、第１実施形態の変更例を含め、その趣旨を逸脱しない範囲で適宜変更可能である。例えば、本実施形態では、上蓋部１５に設けられて内管１１の内部に開口する第１高圧流体噴射口３３と、外管１２を貫通し内管１１の内部に開口する第２高圧流体噴射口３４の両高圧流体噴射口３３、３４から高圧窒素ガスＮを噴射させて、投入部７に詰まったバイオマスＳを除去するものとしたが、投入部７に詰まったバイオマスＳを除去することが可能であれば、特に高圧流体噴射口３３、３４の位置や数を限定する必要はない。
【００５６】
また、本実施形態では、高圧流体が高圧の窒素ガスＮであるものとして説明を行ったが、例えばガスタンク５に貯留した生成ガスＧ２を高圧流体として使用してもよく、特に高圧流体の種類を限定する必要はない。
【図面の簡単な説明】
【００５７】
【図１】本発明の第１実施形態に係るバイオマスガス化装置を示す図である。
【図２】図１のＸ１−Ｘ１線矢視図である。
【図３】本発明の第２実施形態に係るバイオマスガス化装置を示す図である。
【図４】従来のバイオマスガス化装置を示す図である。
【符号の説明】
【００５８】
１      従来のガス化反応装置
２      バイオマス供給装置
３      水蒸気発生装置
４      脱水装置
５      ガスタンク
６      バイオマス受入ホッパ
７      投入部
８      加熱装置
１０    ガス化反応装置（ガス化反応炉）
１１    内管
１２    外管
１２ａ  ガス排出口
１５    上蓋部
１６    第１蓋体
１６ａ  貫通孔（観察窓）
１７    透明部材（観察窓）
１８    第２蓋体
１８ａ  貫通孔（観察窓）
１９    閉鎖状態検知手段
２０    バイオマス除去手段
２１    モータ
２２    除去棒（バイオマス押圧除去手段）
２３    制御装置
３０    バイオマス除去手段
３１    ガス化反応装置（ガス化反応炉）
３２    高圧流体噴射手段
３３    第１高圧流体噴射口
３４    第２高圧流体噴射口
３５    高圧流体噴射機
Ａ      従来のバイオマスガス化装置
Ｂ      バイオマスガス化装置
Ｃ      バイオマスガス化装置
Ｇ１    含水生成ガス
Ｇ２    生成ガス
Ｏ１    スクリュの軸線
Ｏ２    ガス化反応装置の軸線
Ｓ      バイオマス
Ｍ      水蒸気
Ｎ      高圧窒素ガス（高圧流体）
【図１】
0005218821.tif 000002
【図２】
0005218821.tif 000003
【図３】
0005218821.tif 000004
【図４】
0005218821.tif 000005